(57)【要約】【課題】ディジタル放送の時間情報を、その使用方法に即した簡易な演算により補正可能な映像記録再生装置の提供を目的とする。【解決手段】タイマー予約の開始時刻を時間情報Ｔｄによりカウントするとともに、時間情報を更新して更新後の時間情報Ｔｄによりタイマー予約の終了時刻をカウントする。そのため、取得された基準時間Ｔｓとの誤差をタイマー予約時に補正するだけなので無駄な演算を行う必要がなく、使用する記録領域の無駄を省くことが可能となる。【選択図】図２
2008125016.tif 000002
【特許請求の範囲】
【請求項１】
時間情報によりタイマー予約を行う映像記録再生装置において、
演算処理にて当該映像記録再生装置を制御するマイコンと、
上記マイコンが演算処理を行うためのプログラムやテーブルを記録する不揮発性メモリとを有し、
上記マイコンは、ディジタル放送の放送時刻を、ディジタル放送から取得する時間情報を基にカウントするとともに、所定周期で上記時間情報の更新を行い、
上記不揮発性メモリは、上記時間情報を、アナログ放送から取得する基準時間の誤差として記録するとともに、
ディジタル放送のタイマー予約を実行するために、上記マイコンが、上記記録する時間情報を用いてタイマー予約の開始時刻をカウントした後、上記時間情報を更新してタイマー予約の終了時刻をカウントする予約実行プログラムを記録することを特徴とする映像記録再生装置。
【請求項２】
時間情報によりタイマー予約を行う映像記録再生装置において、
基準となる時間情報である基準時間を保有する基準時間取得手段と、
上記基準時間を基準として、ディジタル放送の時間情報を保有するディジタル放送時間取得手段と、
当該映像記録再生装置によるタイマー予約時に、上記ディジタル放送時間取得手段の保有する時間情報を更新する時間更新手段と、
上記ディジタル放送時間取得手段が保有する時間情報を用いてタイマー予約を実行する予約実行手段とを有することを特徴とする映像記録再生装置。
【請求項３】
上記予約実行手段は、上記ディジタル放送時間取得手段が保有する時間情報をタイマー予約の予約開始時刻とするとともに、上記時間更新手段により更新された時間情報をタイマー予約の終了時刻とすることを特徴とする請求項２に記載の映像記録再生装置。
【請求項４】
上記基準時間取得手段は、アナログ放送から基準時間を取得することを特徴とする請求項２または請求項３のいずれか一項に記載の映像記録再生装置。
【請求項５】
上記ディジタル放送時間取得手段は、時間情報を上記基準時間に対する誤差として保有することを特徴とする請求項２〜請求項４のいずれか一項に記載の映像記録再生装置。
【請求項６】
上記ディジタル放送時間取得手段は、使用者に合わせて時間情報を保有することを特徴とする請求項２〜請求項５のいずれか一項に記載の映像記録再生装置。
【請求項７】
上記ディジタル放送時間取得手段は、各チャネルごとに時間情報を保有することを特徴とする請求項２〜請求項５のいずれか一項に記載の映像記録再生装置。
【請求項８】
上記予約実行手段は、上記基準時間に対してもっとも早い時間の時間情報を基に、タイマー予約の開始時刻をカウントすることを特徴とする請求項３〜請求項７のいずれか一項に記載の映像記録再生装置。
【請求項９】
上記予約実行手段は、ディジタル放送からの時間情報に代えて、アナログ放送からの時間情報を基に、タイマー予約の開始時刻をカウントすることを特徴とする請求項３〜請求項７のいずれか一項に記載の映像記録再生装置。
【発明の詳細な説明】
【技術分野】
【０００１】
時間情報を取得してタイマー予約を行う映像記録再生装置に関し、特に、ディジタル放送からの時間情報を取得してディジタル放送のタイマー予約を行う映像記録再生装置に関する。
【背景技術】
【０００２】
ディジタル放送をタイマー予約する場合、現在ではディジタル放送に重畳された時間情報を基にタイマー予約を行う。具体的には、ディジタル放送に重畳された時間情報を受信機側で取得すると、取得した時間情報が予約された開始時間と一致すればタイマー予約を開始する。同様に、取得した時間情報が予約された終了時刻と一致すればタイマー予約を終了する。ここで、タイマー予約とは録画予約並びに視聴予約、さらには時間情報を基に予約を行うもの全てに当てはまる。
【０００３】
図６は、ディジタル放送の送信側と受信側の処理の流れを表すブロック図である。ディジタル放送を用いた時間情報の取得方法を説明する。同図より、送信側１ではエンコーダブロック３により、カメラ２により取得された映像データを圧縮する。その後、送信装置４にて所定の周波数を有する搬送波に重畳して受信側５に送信する。このとき、時間情報も同様に映像データに重畳して送信する。受信側５では、上記搬送波をアンテナ６により受信した後、チューナー部７により復調し、デコーダブロック８により圧縮の解凍を行う。解凍された映像データは、所定の処理を実行された後、表示装置９ａまたは記録媒体９ｂに出力される。また、時間情報も同様に映像信号から分離される。
【０００４】
映像信号から分離された時間情報は、受信側５の演算部９ｃに出力される。演算部９ｃは内部にクロック信号を発生させる水晶振動子を有しており、入力された時間情報を基準としてクロック信号により時間をカウントする。時間情報はこのままでは、誤差を生じることとなるため、所定周期でディジタル放送からの時間情報を取り込み、演算部の時間情報の更新を行う。
【０００５】
ディジタル放送に重畳された時間情報を使用してタイマー予約を行う場合、以下のような問題が発生する。つまり、ディジタル放送に重畳された時間情報は、ディジタル放送を送信する側の処理能力、並びに受信側の処理能力に応じて基準となる時間に対して誤差が発生する。具体的には、ディジタル放送の送受信システムでは、送信側１のエンコーダブロック３および受信側５のデコーダブロック８の処理に掛かる時間が、重畳する時間情報の誤差を生じさせる。このためディジタル放送に重畳された時間情報の時刻がＡＭ９：００の場合、基準とする時刻からは数秒だけ遅れた時刻となる。
【０００６】
このような誤差は、アナログ放送の時間情報にも起こりうることではあるが、アナログ放送の場合では、上述したエンコード／デコード処理が存在しない。さらには、時間の誤差を補正するための手法が存在する。アナログ放送における時間情報を補正する方法としては、ＥＤＳ（Extended Data Service）、ＰＤＣ（personal digital cellular ）ならびにジャストクロック等が挙げられる。
【０００７】
ディジタル放送の時間情報を補正する方法として次の放送受信装置が開示されている。つまり、ディジタル放送の時間情報を取得する第１の時計手段と、アナログ放送を取得する第２の時計手段とを有する放送受信装置であって、第一の時計手段は、第二の時計手段によって誤差を補正される構成としている（例えば、特許文献１参照。）。
【０００８】
また、ディジタル放送の時間情報を補正する方法として以下の方法が開示されている。つまり、ディジタル放送の時間情報を補正するための内部時計を有し、上記内部時計によりディジタル放送の時間情報を補正する（例えば、特許文献２参照。）。
【０００９】
さらに、ディジタル放送の時間情報を補正する方法として以下の方法が開示されている。つまり、内部に自動式のタイマーを有し、上記タイマーによりディジタル放送の時間情報を補正する。さらに、ディジタル放送の時間情報を検出できない場合には、使用者の設定により時間情報を入力可能な構成としている（例えば、特許文献３参照。）。
【特許文献１】特開２００１−１３１４７１
【特許文献２】特開２００５−３０３７９９
【特許文献３】特開２００６−９４３５８
【発明の開示】
【発明が解決しようとする課題】
【００１０】
上述した特許文献１、２、３の発明は、次のような課題があった。つまり、ディジタル放送の時間情報の誤差は各送信側間で固定されたものではない。つまり、時間情報の誤差は各送信側の放送局で異なった値となっている。そのため、時間情報の誤差を補正するために一定数のデータを収集する必要がある。ゆえに、誤差を補正するための処理が複雑となり記憶領域の無駄な使用に繋がる。
【００１１】
本発明は、上記課題にかんがみてなされたもので、ディジタル放送の時間情報を、その使用方法に即した簡易な演算により補正可能な映像記録再生装置の提供を目的とする。
【課題を解決するための手段】
【００１２】
上記課題を解決するために、本発明の請求項２にかかる発明では、時間情報によりタイマー予約を行う映像記録再生装置において、
基準となる時間情報である基準時間を保有する基準時間取得手段と、上記基準時間を基準として、ディジタル放送の時間情報を保有するディジタル放送時間取得手段と、当該映像記録再生装置によるタイマー予約時に、上記ディジタル放送時間取得手段の保有する時間情報を更新する時間更新手段と、上記ディジタル放送時間取得手段が保有する時間情報を用いてタイマー予約を実行する予約実行手段とを有する構成としてある。
【００１３】
上記のように構成した発明では、ディジタル放送時間取得手段は、基準時間取得手段の保有する基準時間を基準とした時間情報を保有している。また、時間補正手段は、当該映像記録再生装置によるディジタル放送のタイマー予約時に、ディジタル放送時間取得手段の時間情報を更新する。その後、予約実行手段は、上記更新された時間情報を用いてタイマー予約を実行する。この場合、ディジタル放送からの時間情報とは、ディジタル放送に重畳されて受信装置に受信される時間情報のことである。
【００１４】
これにより、本発明に係る映像記録再生装置は、ディジタル放送時間取得手段が保有する時間情報をタイマー予約時にのみ更新する。そのため、時間情報の誤差をタイマー予約時に更新するだけなので無駄な演算を行う必要がなく、使用する記録領域の無駄を省くことが可能となる。
【００１５】
さらに、上記時間情報を用いた予約実行手段の構成として請求項３に記載の発明は、上記予約実行手段は、上記ディジタル放送時間取得手段が保有する時間情報を基に、タイマー予約の予約開始時刻をカウントするとともに、上記時間更新手段により更新された時間情報を基にタイマー予約の終了時刻をカウントする構成としている。
【００１６】
上記のように構成された発明では、予約実行手段は、ディジタル放送時間取得手段が保有する時間情報を基にタイマー予約の予約開始時刻をカウントし、更新された後の時間情報を基にタイマー予約の終了時刻をカウントする。これにより、時間情報の誤差の補正を演算を用いることなく行う手法において、タイマー予約の開始時刻の違いにより発生する頭切れを防止することができる。ここで、頭切れとは、番組の開始時刻より後に録画や視聴を開始することを言う。
【００１７】
また、基準時間は、時間情報の基準とすることができるものであればよい。そのため請求項４に記載の発明では、上記基準時間取得手段は、アナログ放送から基準時間を取得する構成としている。
上記のように構成した発明では、アナログ放送からの時間情報を基準時間とするため、正確な時間情報を保有することができる。
【００１８】
そして、ディジタル放送時間取得手段の時間情報を保有する手法としては、基準時間を基準とするものであればよい。そのため、請求項５に記載の発明では、上記ディジタル放送時間取得手段は、時間情報を上記基準時間に対する誤差として保有する構成としている。  
上記のように構成した発明では、時間情報は基準時間の誤差として保有される。これにより、時間情報を記録により保有する場合においても、情報は誤差であるため少ない記録容量により保有することが可能となる。また、時間をカウントする場合においても演算を簡素化することが可能となる。
【００１９】
さらに、時間情報を保有する他の一例として請求項６に記載の発明では、上記ディジタル放送時間取得手段は、使用者に合わせて時間情報を保有する構成としてある。
上記のように構成された発明では、時間情報は使用者に合わせて保有される。これにより、保有者ごとに時間の算出を行うことが可能となり、使用者の使用状況に応じた時刻の設定を行うことが可能となる。
【００２０】
また、時間情報を保有する他の一例として請求項７に記載の発明では、上記ディジタル放送時間取得手段は、各チャネルごとに時間情報を保有する構成としてある。
上記のように構成された発明では、時間情報は各チャンネルごとに保有される。時間情報の誤差はチャンネルごとに特徴を有している。そのため、チャンネルごとに時間情報を保有することで、タイマー予約における開始時間をより正確に行うことが可能となる。
【００２１】
そして、上記チャンネルごとに保有する時間情報を用いたタイマー予約の手法として請求項８に記載の発明では、上記予約実行手段は、上記基準時間に対してもっとも早い時間の時間情報を基に、タイマー予約の開始時刻をカウントする構成としてある。
上記のように構成された発明では、基準時間に対してもっとも早い時間の時間情報を基に開始時刻をカウントする。時間のもっとも早い時間情報を使用することにより、開始時刻は早いものとなるため、タイマー予約により録画や視聴を予約する場合、頭切れを防止することが可能となる。
【００２２】
また、タイマー予約の開始時刻は、ディジタル放送からの時間情報に限定されない。そこで、請求項９に記載の発明では、上記予約実行手段は、ディジタル放送からの時間情報に代えて、アナログ放送からの時間情報を基に、タイマー予約の開始時刻をカウントする構成としてある。
上記のように構成された発明では、アナログ放送からの時間情報を基にタイマー予約の開始時刻をカウントするため、正確な開始時刻をカウントすることができる。
【００２３】
上記した課題を解決するための具体的な構成として請求項１に記載の発明は、時間情報によりタイマー予約を行う映像記録再生装置において、
演算処理にて当該映像記録再生装置を制御するマイコンと、上記マイコンが演算処理を行うためのプログラムやテーブルを記録する不揮発性メモリとを有し、上記マイコンは、ディジタル放送の放送時刻を、ディジタル放送から取得する時間情報を基にカウントするとともに、所定周期で上記時間情報の更新を行い、上記不揮発性メモリは、上記時間情報を、アナログ放送から取得する基準時間の誤差として記録するとともに、ディジタル放送のタイマー予約を実行するために、上記マイコンが、上記記録する時間情報を用いてタイマー予約の開始時刻をカウントした後、上記時間情報を更新してタイマー予約の終了時刻をカウントする予約実行プログラムを記録する構成としてある。
【００２４】
上記のように構成した発明において、マイコンは、基準時間取得手段とディジタル放送時間取得手段と、時間更新手段とに対応し、マイコンと不揮発性メモリに記録される予約実行プログラムとが予約実行手段に対応する。
【発明の効果】
【００２５】
以上説明したように本発明によれば、時間情報の誤差をタイマー予約時に更新するだけなので無駄な演算を行う必要がなく、使用する記録領域の無駄を省くことが可能となる。  また請求項３にかかる発明によれば、タイマー予約の開始時刻の違いにより発生する頭切れを防止することができる。
そして請求項４にかかる発明によれば、正確な時間情報を保有することができる。
さらに請求項５にかかる発明によれば、情報は誤差であるため少ない記録容量により保有することが可能となる。また、時間をカウントする場合においても演算を簡素化することが可能となる。
また請求項６にかかる発明によれば、使用者の使用状況に応じた時刻の設定を行うことが可能となる。
【００２６】
そして、請求項７にかかる発明によれば、タイマー予約における開始時間をより正確に行うことが可能となる。
さらに、請求項８にかかる発明によれば、頭切れを防止することが可能となる。
また、請求項９に係る発明によれば、正確な開始時刻をカウントすることができる。
さらに請求項１のような、より具体的な構成において、上述した請求項２〜請求項９
の各発明と同様の作用を奏することはいうまでもない。
【発明を実施するための最良の形態】
【００２７】
以下、下記の順序に従って本発明の実施の形態の録画再生装置を説明する。
（１）第一の実施の形態
（１−１）映像記録再生装置の構成
（１−２）タイマー予約の方法
（２）第一の実施の形態のまとめ
（３）第二の実施の形態
（４）第二の実施の形態のまとめ
【００２８】
（１）第一の実施の構成
（１−１）映像記録再生装置の構成
以下、図１〜図５を参照して、この発明に係る映像記録再生装置を具体化した実施の形態について説明する。映像記録再生装置は、映像信号を取得して記録媒体に記録するとともに、記録した映像信号を表示装置に出力するためのものである。また、映像記録再生装置１０は、タイマー予約によって予約された映像データの記録並びに映像信号の表示装置への出力を可能とする。ここで、タイマー予約とは上記した記録並びに映像信号の表示装置への出力のみに限定されず、映像信号の表示装置への出力の停止も含まれる。また、タイマー予約にて行うものの内ディジタル放送に関係するもの全てに対応する。
【００２９】
図１は、本発明の実施の形態での映像記録再生装置のブロック構成図である。同図より、映像記録再生装置１０は、上述した機能を実現するため、アンテナ２０が受信したテレビジョン放送の映像信号を復調するチューナー部１１、チューナー部１１が復調したテレビジョン放送の映像信号に所定の信号処理を施す信号処理部１２、取得した映像信号を記録するＨＤＤ１３、ＨＤＤ１３が記録した映像データを解凍するデコーダ部１４、解凍された映像信号を一端記録するバッファ１５、映像信号にＯＳＤ処理を施すＯＳＤ回路１６、映像信号を外部に出力する外部出力端子１８、さらには上記各構成要素を制御する制御部１７とから構成されている。
【００３０】
チューナー部１１は、アンテナ２０が受信したテレビジョン放送より映像信号を復調するためのものである。そのため、チューナー部１１は、ディジタル放送の映像信号を復調するディジタル放送チューナー部１１ａと、アナログ放送の映像信号を復調するアナログ放送チューナー部１１ｂとを有している。アンテナ２０は、ディジタル放送を受信可能なアンテナ２０ａと、アナログ放送を受信可能なアンテナ２０ｂとから構成されている。ディジタル放送チューナー部１１ａは、アンテナ２０ａが受信したディジタル放送より映像信号を復調する。アナログ放送チューナー部１１ｂは、アンテナ２０ｂが受信したアナログ放送より映像信号を復調する。
【００３１】
信号処理部１２は、チューナー部１１が復調した映像信号に所定の信号処理を施す。信号処理部１２が実行する信号処理としては、時間情報の分離や圧縮の解凍、さらにはノイズの除去等が挙げられる。そのため、信号処理部１２は、ディジタル放送の映像信号に信号処理を施すディジタル放送信号処理部１２ａと、アナログ放送の映像信号に信号処理を施すアナログ放送信号処理部１２ｂとを有する構成である。ディジタル放送信号処理部１２ａは、ディジタル放送チューナー部１１ａが復調した映像信号のノイズを除去するとともに、時間情報に対応する信号を分離する。また、アナログ放送信号処理部１２ｂは、アナログ放送チューナー部１１ｂが復調した映像信号のノイズを除去するとともに、時間情報に対応する信号を分離する。また、ＨＤＤ１３に映像信号を記録する場合は、アナログ放送信号処理部１２ｂは、復調された映像信号の圧縮を行う。
【００３２】
時間情報の分離方法としては、映像信号に重畳された時間情報に対応する情報を取得するのに限定されず、時刻を知らせるために所定周期で送信される搬送波に重畳した時間情報を分離するものであってもよい。また、本発明の実施の形態でのチューナー部１１と信号処理部１２とは別体の構成としているがこれに限定されない。つまり、チューナー部１１が信号処理部１２の機能を有するものであってもよい。
【００３３】
制御部１７は、リモコン装置３０の操作等により当該映像記録再生装置１０を制御するためのものである。そのため、制御部１７は、演算中枢として働くマイコン１７ａ、マイコン１７ａが駆動するためのプログラムやテーブルを記録する不揮発性メモリとしてのＲＯＭ１７ｂ、マイコン１７ａが演算するプログラムやテーブルを用いた作業場所として作用するＲＡＭ１７ｃ、さらにはリモコン装置３０からの操作信号をマイコン１７ａに伝えるリモコンＩ／Ｆ１７ｄとを有する。制御部１７の内部は、バス１７ｅにて接続され、マイコン１７ａを演算中枢とした制御部の機能を実現する。 
【００３４】
（１−２）タイマー予約の方法
以下に上述した構成での映像記録再生装置１０の機能を説明する。映像記録再生装置１０は、映像信号の記録並びに映像信号の表示装置への出力を実行する。また、映像信号の記録並びに表示装置への出力は、タイマー予約により実行することが可能である。具体的には、リモコン装置３０を用いて、使用者がテレビジョン放送の記録を予約すると、マイコン１７ａはＲＯＭ１７ｂに記録された予約実行プログラムを読み出し以下の方法によりタイマー予約を実行する。
【００３５】
図２は、タイマー予約によりマイコン１７ａが実行するフローチャートである。同図より、使用者がリモコン装置３０を用いてタイマー予約の登録を行うと、マイコン１７ａは、上記タイマー予約情報を受け付ける（ステップＳ１００）。このとき、マイコン１７ａがタイマー予約情報を受け付ける手法として、メニュー画面により受け付ける方法が挙げられる。具体的にはマイコン１７ａは使用者がタイマー予約を選択したことを検出すると、ＯＳＤ回路１６にメニュー画面の映像データを表示装置へ出力するよう指示を出す。これにより表示装置の画面上には、タイマー予約を行うためのメニュー画面が表示される。そうして、表示されたメニュー画面を参照して使用者はタイマー予約情報を入力する。
【００３６】
マイコン１７ａが受け付けるタイマー予約情報は、「予約対象チャンネル」、「予約開始時刻」および「予約終了時刻」の３点である。また、タイマー予約がＨＤＤ１３への記録である場合は、マイコン１７ａは記録モードの選択も受け付ける。このとき、受け付けるタイマー予約情報が全て入力された場合は（ステップＳ１１０）、タイマー予約情報をＲＡＭ１７ｃに記録する（ステップＳ１２０）。
【００３７】
次に、マイコン１７ａは、記録したタイマー予約情報を基に時間のカウントを行う。マイコン１７ａが行う時刻のカウント方法としては、マイコン１７ａ内に実装されたタイマーを用いてカウントを行えばよい。具体的にはアナログ放送より分離されて取得する時間情報Ｔａまたは、ディジタル放送より分離されて取得する時間情報Ｔｄにマイコン１７ａの内部に実装されるパルス波を加えることにより時間のカウントを行う。このとき、マイコン１７ａが受け付けたタイマー予約情報の予約対象チャネルがアナログ放送の場合、アナログ放送に重畳された時間情報Ｔａを基にタイマーのカウントを行う（ステップＳ１３０、Ｓ１４０〜Ｓ１６０）。また、マイコン１７ａが受け付けたタイマー予約情報の予約対象チャネルがディジタル放送の場合、ディジタル放送に重畳された時間情報Ｔｄを基に時間のカウントを行う（ステップＳ１３０、Ｓ１７０〜Ｓ２１０）。
【００３８】
予約対象チャンネルがアナログ放送であって、マイコン１７ａによる時刻のカウントが予約開始時刻と一致した場合は、マイコン１７ａは予約された機能を実行する（ステップＳ１５０）。具体的には、マイコン１７ａは、チューナー部１１とＳＷ１とを制御して、ＲＡＭ１７ｃに記録されたタイマー予約に対応するチャネルの映像信号を出力させる。このとき、タイマー予約された機能がＨＤＤ１３への記録である場合は、映像信号をＨＤＤ１３の記録領域へ記録する。また、タイマー予約された機能が表示装置への出力である場合は、取得した映像信号をバッファ１５に一端記録した後、外部出力端子１８を介して表示装置へ出力する。
【００３９】
予約対象チャンネルがディジタル放送であって、マイコン１７ａによる時刻のカウントが予約開始時刻と一致した場合は、マイコン１７ａは以下の方法で予約された機能を実行する。まず、マイコン１７ａは時間情報の基準となる時間情報Ｔｄを参照する（ステップＳ１７０）。次に、参照した基準時間Ｔｄにパルス波を時間情報Ｔｄに付加して開始時刻をカウントする（ステップＳ１８０）。カウントする時間が開始時刻と一致した場合は、予約した機能を実行する（ステップＳ１９０）。
【００４０】
時間情報Ｔｄの保有方法としては、ＲＯＭ１７ｂに記録させる方法とすればよい。このとき、時間情報Ｔｄを基準時間Ｔｓに対する誤差により記録する方法でもよい。具体的には、基準時間Ｔｓに対する時間情報Ｔｄの誤差をΔＴとした場合、時間情報Ｔｄは以下の式により算出される。
Ｔｄ＝Ｔｓ＋ΔＴ  …（１）
このとき、基準時間Ｔｓをアナログ放送からの時間情報Ｔａとすれば、ＲＯＭ１７ｂに取得する時間情報Ｔａを用いるだけであるため、処理をさらに簡略化することができる。
【００４１】
図３は、ＲＯＭ１７ｂに記録される時間情報を表す図である。同図より、ＲＯＭ１７ｂに記録される時間情報Ｔｄは、チャンネルごとに基準情報Ｔｓとの誤差であるΔＴを記録する構成としている。このとき、タイマー予約情報に記録された予約対象チャネルに応じて、時間情報Ｔｄの誤差を補正すれば、誤差の演算を簡易に行うことができる。ここで、基準情報Ｔｓはアナログ放送からの時間情報Ｔａを基に算出している。具体的には、チャンネル１に対して誤差を１（秒）、チャンネル２に対して誤差を４（秒）、チャンネル３に対して誤差を８（秒）としている。マイコン１７ａは、予約されたチャンネルに対応する時間情報Ｔｄを上記（１）式を用いて算出する。こうして算出された時間情報Ｔｄを用いて、マイコン１７ａは開始時刻のカウントを行う。
【００４２】
また、ＲＯＭ１７ｂに記録される時間情報Ｔｄの内、もっとも早い時間を用いて開始時刻をカウントしてもよい。具体的には、図３において、もっとも早い時刻とは誤差（ΔＴ）が１である場合を言う。もっとも早い時刻における時間情報Ｔｄを用いて開始時刻をカウントすることにより、例えば録画や視聴を予約する場合、録画や視聴を行う番組の頭切れを防止することが可能となる。ここで、頭切れとは、番組の開始時刻より後に録画や視聴を開始することを言う。
【００４３】
その後、マイコン１７ａは時間情報Ｔｄを更新する（ステップＳ２００）。さらに、マイコン１７ａは、更新した時間情報Ｔｄにより終了時刻をカウントする（ステップＳ２１０）。カウントされる時刻がＲＡＭ１７ｃに記録された終了時刻と一致した場合は、タイマー予約により実行される機能を終了する（ステップＳ２２０）。このとき、終了時刻を更新後の時間情報Ｔｄによりカウントするため、終了時刻を正確にカウントすることができる。
【００４４】
（２）第一の実施の形態のまとめ
以上説明したように、本発明に係る第一の実施の形態では、タイマー予約の開始時刻を時間情報Ｔｄによりカウントするとともに、時間情報を更新して更新後の時間情報Ｔｄによりタイマー予約の終了時刻をカウントする。このため、タイマー予約時にのみディジタル放送の時間情報Ｔｄの更新を行うこととなる。そのため、取得された基準時間Ｔｓとの誤差をタイマー予約時に補正するだけなので無駄な演算を行う必要がなく、使用する記録領域の無駄を省くことが可能となる。
【００４５】
（３）第二の実施の形態
上述した第一の実施の形態では、タイマー予約の開始時刻は更新後のディジタル放送の時間情報Ｔｄをもとにカウントし、時間情報Ｔｄの更新はタイマー予約時のみとした。このとき、開始時刻に用いる時間情報Ｔｄの選択を使用者ごと設定するものであってもよい。そこで、第二の実施の形態では、使用者に合わせて開始時刻をカウントする時間情報Ｔｄを変更する構成とする。これにより、第二の実施の形態では、更新のための演算処理を低減して無駄な記録領域の低減を図ることがきるとともに、使用者に合わせたタイマー予約の開始時刻の設定を行うことができる。なお、映像記録再生装置１０の構成は、第一の実施の形態と同様の構成とし、ＲＯＭ１７ｂに記録するプログラムの変更のみで第二の実施の形態に対応することが可能である。
【００４６】
図４は、第二の実施の形態におけるマイコン１７ａが実行するフローチャートである。図４で記載されるフローチャートのタイマー予約の方法は、図２で記載したフローチャートのタイマー予約の方法と同一のものである。第二の実施の形態では、タイマー予約を行う使用者の選択と、選択された使用者に応じた具体的な予約時刻時間のカウント方法が変更される構成である。
【００４７】
図４より、使用者がリモコン装置３０を用いてタイマー予約の登録を行うと、マイコン１７ａは、タイマー予約を行う使用者の選択を受け付ける（ステップＳ３００）。マイコン１７ａが使用者の選択を受け付ける手法として、メニュー画面により受け付ける方法が挙げられる。さらに、マイコン１７ａはタイマー予約情報を受け付ける（ステップＳ３１０〜Ｓ３３０）。
【００４８】
次に、マイコン１７ａは、時間情報を基に開始時刻のカウントを行う。このとき、マイコン１７ａが受け付けたタイマー予約情報の予約対象チャネルがアナログ放送の場合、アナログ放送に重畳された時間情報を基に時刻のカウントを行う（ステップＳ３４０〜Ｓ３７０）。アナログ放送からの時間情報Ｔａを用いてタイマー予約を行う場合は、時間情報Ｔａは放送局ごとに変化することはないため、第一の実施の形態と同様の方法を取る。また、マイコン１７ａが受け付けたタイマー予約情報の予約対象チャネルがディジタル放送の場合、ディジタル放送に重畳された時間情報を基に時刻のカウントを行う（ステップＳ３４０、Ｓ３８０〜Ｓ４２０）。
【００４９】
予約対象チャンネルがアナログ放送であって、時間情報Ｔａを基にカウントした時刻が予約開始時刻と一致した場合は、マイコン１７ａは予約された機能を実行する（ステップＳ４３０）。その後第一の実施の形態と同様の手法により、タイマー予約を実行する（ステップＳ４３０）。
【００５０】
予約対象チャンネルがディジタル放送であって、時間情報Ｔｄを基にカウントした時刻が予約開始時刻と一致した場合は、マイコン１７ａは以下の方法で予約された機能を実行する。まず、マイコン１７ａは時間情報の基準となる時間情報Ｔｄを参照する（ステップＳ３８０）。次に、参照した基準時間Ｔｄにパルス波を時間情報Ｔｄに付加して開始時刻をカウントする（ステップＳ３９０）。カウントする時間が開始時刻と一致した場合は、予約した機能を実行する（ステップＳ４００）。
【００５１】
このとき、マイコン１７ａは、ステップＳ３００にて選択された使用者に応じてタイマー予約の開始時刻の基準とする時間情報Ｔｄを変更する。時間情報Ｔｄの変更の一例として、以下の方法が挙げられる。使用者に合わせた時間情報ＴｄのデータをＲＯＭ１７ｂに記録しておく。そして、マイコン１７ａは、ステップＳ３００にて選択された使用者に合わせて開始時刻の基準とする時間情報Ｔｄを選択する。以下に時間情報ＴｄをテーブルとしてＲＯＭ１７ｂに記録する方法を主として説明を行う。
【００５２】
図５は、第二の実施の形態でのＲＯＭ１７ｂに記録されるテーブルを表す図である。同図より、各使用者に対して、時間情報Ｔｄを基準時間Ｔｓとの誤差として記録している。具体的には使用者Ａは時間情報Ｔｄを１（秒）とし、使用者Ｂは時間情報Ｔｄを２（秒）とし、使用者Ｃは時間情報Ｔｄを５（秒）とする。時間情報Ｔｄが表す誤差の算出方法としては、使用者の特性が出るようなものであればよい。一例としては、各使用者がタイマー予約を行う頻度が高いチャネルの平均の値と基準情報Ｔｓとの誤差を記録するものであってもよい。また、時間情報Ｔｄは、基準時間Ｔｓとの誤差に限定されず、マイコン１７ａがカウントする時刻をそのまま記録するものでも、アナログ放送の時間情報Ｔａであってもよい。
【００５３】
各使用者ごとに誤差を設定することにより、例えば以下のような効果を得ることができる。つまり、図５より使用者Ａは、放送局ａのみタイマー予約を行う場合、放送局ａと基準時間Ｔｓとの誤差を保有するだけでよい。そのため、誤差の補正は、基準時間Ｔｓと誤差との関係だけでよく、演算処理軽くすることが可能となる。また、開始時刻をカウントする時間情報をアナログ放送からの時間情報とすることで正確にタイマー予約を行うことを望む使用者の嗜好にも対応することが可能となる。
【００５４】
その後、マイコン１７ａは時間情報Ｔｄを更新する（ステップＳ４１０）。さらに、マイコン１７ａは、更新した時間情報Ｔｄにより終了時刻をカウントする（ステップＳ４２０）。カウントされる時刻がＲＡＭ１７ｃに記録された終了時刻と一致した場合は、タイマー予約により実行される機能を終了する（ステップＳ４３０）。このとき、終了時刻を更新後の時間情報Ｔｄによりカウントするため、終了時刻を正確にカウントすることができる。
【００５５】
（４）第二の実施の形態のまとめ
以上説明したように、第二の実施の形態では、第一の実施の形態同様、タイマー予約の開始時刻を時間情報Ｔｄを基にカウントするとともに、終了時刻を更新した時間情報Ｔｄによりカウントする。これにより、タイマー予約時のみ時間情報Ｔｄを更新するため、無駄な演算を行う必要がなく使用する記録領域の無駄を省くことができる。加えて、第二の実施の形態では以下のような効果を有する。つまり、使用者を予め選択することにより、使用者個々のタイマー予約の使用に合わせた設定を行うことが可能となる。
【００５６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５７】
【図１】本発明の実施の形態での映像記録再生装置のブロック構成図である。
【図２】タイマー予約によりマイコンが実行するフローチャートである。
【図３】ＲＯＭ１７ｂに記録される時間情報を表す図である。
【図４】第二の実施の形態におけるマイコンが実行するフローチャートである。
【図５】第二の実施の形態でのＲＯＭに記録されるテーブルを表す図である。
【図６】ディジタル放送の送信側と受信側の処理の流れを表すブロック図である。
【符号の説明】
【００５８】
１０…映像記録再生装置、１１…チューナー部、１１ａ…ディジタル放送チューナー部、１１ｂ…アナログ放送チューナー部、１２…信号処理部、１２ａ…ディジタル放送信号処理部、１２ｂ…アナログ放送信号処理部、１３…ＨＤＤ、１４…デコーダ部、１５…バッファ、１６…ＯＳＤ回路、１７…制御部、１７ａ…マイコン、１７ｂ…ＲＯＭ、１７ｃ…ＲＡＭ、１７ｄ…リモコンＩ／Ｆ、１７ｅ…バス、１８…外部出力端子、２０…アンテナ、２０ａ、２０ｂ…アンテナ、３０…リモコン装置
【図１】
2008125016.tif 000003
【図２】
2008125016.tif 000004
【図３】
2008125016.tif 000005
【図４】
2008125016.tif 000006
【図５】
2008125016.tif 000007
【図６】
2008125016.tif 000008